(57)【要約】      （修正有）【課題】液体を収容したボトルを収容するとともに、その液体とともに用いる用具を保持できるボトルホルダーを提供する。【解決手段】ボトルホルダー１は、前面１０と、背面２０と、右側面と、左側面と、底面とを備え、概略上面が解放された直方体形状を有している。ボトルホルダー１は２本のボトルを収容可能である。背面２０には、ボトルホルダー１を壁や鏡等の固定対象（以下単に「壁」という。）に固定するための若干後方に突き出した平板部２１が形成されており、平板部２１には、２つの固定用孔２２ａ、２２ｂが形成されている。ボトルホルダー１は、この平板部２１を固定対象に密着させるとともに、内側から固定用孔２２ａ、２２ｂを通してビス等の固定具を壁に固定することで壁に取り付けられる。また、ボトルホルダー１は、壁に取り付けられたフックを外側から固定用孔２２ａ、２２ｂに通すことで壁に固定することもできる。【選択図】図２
0003191258.tif 000002
【実用新案登録請求の範囲】
【請求項１】
液体を入れるボトルを収容するボトルホルダーであって、
前面又は側面に切込みが形成され、それによって前記液体とともに使用する用具を掛けるための掛け部が形成された
ことを特徴とするボトルホルダー。
【請求項２】
複数の前記切込みを形成することで、それらの間に複数の前記掛け部が形成されたことを特徴とする請求項１に記載のボトルホルダー。
【請求項３】
前記前面又は側面は、左右に上端を残して、上端から中段にかけて形成された凹部を有し、
前記切込みは、前記凹部の底部に形成されている
ことを特徴とする請求項１又は２に記載のボトルホルダー。
【請求項４】
前記前面又は側面は、左右に上端を残して、上端から中段にかけて形成された凹部を有し、
前記切込みは、残された左右の上端に形成されている
ことを特徴とする請求項１又は２に記載のボトルホルダー。
【請求項５】
前記切込みは、上方が狭く、下方が広く形成されていることを特徴とする請求項１又は２に記載のボトルホルダー。
【請求項６】
前記切込みは、一定幅で下方に向けて形成されていることを特徴とする請求項１又は２に記載のボトルホルダー。
【請求項７】
背面に、前記ボトルホルダーを固定対象に固定するための平板部が形成され、
前記平板部には固定用孔が形成されていることを特徴とする請求項１ないし６のいずれか一項に記載のボトルホルダー。
【考案の詳細な説明】
【技術分野】
【０００１】
本考案は、ボトルを収容するためのボトルホルダーに関するものである。
【背景技術】
【０００２】
手洗い等の洗浄が行われる場所（例えば、キッチン）には洗浄液を収容した洗浄液ボトルが備えられる。この洗浄液ボトルをボトルホルダーに収容して、ボトルホルダーを壁等に設置することで、キッチン等のスペースを広く確保できる。洗浄対象（例えば手）を洗浄するのに、洗浄液とともにブラシ等の洗浄用具が用いられることがある。
【考案の概要】
【考案が解決しようとする課題】
【０００３】
ブラシは使用後には乾燥させる必要があるが、任意の場所に置いておくと、乾燥が十分にできず、雑菌の繁殖に繋がる等の衛生上の問題が生じる。また、ブラシを使用後に任意の場所に置いておくと、次に使用したいときに置き場所が分からなくなってしまうこともある。このような問題は、洗浄液や洗浄液ボトルに限らず、ボトルに入った液体とともに用具を用いる場合に生じ得る。
【０００４】
本考案の主な目的は、液体を収容したボトルを収容するとともに、その液体とともに用いる用具を保持できるボトルホルダーを提供することにある。
【課題を解決するための手段】
【０００５】
本考案のボトルホルダーは、液体を入れるボトルを収容するボトルホルダーであって、前面又は側面に切込みが形成され、それによって前記液体とともに使用する用具を掛けるための掛け部が形成された構成を有している。この構成により、液体の入ったボトルを収容するとともに、その液体とともに用いる用具を保持できる。用具としては特別なものを採用する必要はなく、掛け紐によって掛け部に掛けることとが可能であってよいし、その用具自体に設けられたフックによって掛け部に掛けられてもよい。
【０００６】
上記のボトルホルダーは、複数の前記切込みを形成することで、それらの間に複数の前記掛け部が形成された構成を有していてよい。この構成により、複数の掛け部のうちの任意の掛け部に用具をかけて保持することができる。
【０００７】
上記のボトルホルダーにおいて、前記前面又は側面は、左右に上端を残して、上端から中段にかけて形成された凹部を有していてよく、前記切込みは、前記凹部の底部に形成されていてよい。この構成により、ボトル内の残液量が少なくなっていることを、切込みを介して目視で確認することができ、ユーザーは液体の補充のタイミングを知ることができる。
【０００８】
上記のボトルホルダーにおいて、前記前面又は側面は、左右に上端を残して、上端から中段にかけて形成された凹部を有していてよく、前記切込みは、残された左右の上端に形成されていてよい。この構成により、前面の比較的高い位置に用具を掛けることができる。
【０００９】
上記のボトルホルダーにおいて、前記切込みは、上方が狭く、下方が広く形成されていてよい。この構成により、この切込みに通された掛け紐等を外れにくくすることができる。
【００１０】
上記のボトルホルダーにおいて、前記切込みは、一定幅で下方に向けて形成されていてよい。この構成により、用具を掛けたり外したりする操作を容易に行うことができる。
【００１１】
上記のボトルホルダーにおいて、背面に、前記ボトルホルダーを固定対象に固定するための平板部が形成されていてよく、前記平板部には固定用孔が形成されていてよい。この構成により、ボトルホルダーを壁等の任意の場所に設置することができ、用具を宙に浮かせた状態でボトルホルダーに掛けることができ、用具がブラシである場合には、ブラシを乾燥させるのに便利である。
【考案の効果】
【００１２】
本考案によれば、ボトルホルダーにおいて、液体の入ったボトルを収容するとともに、その液体とともに用いる用具を保持できる。
【図面の簡単な説明】
【００１３】
【図１】本考案の実施の形態におけるボトルホルダーの斜視図
【図２】本考案の実施の形態におけるボトルホルダーの正面図
【図３】本考案の実施の形態におけるボトルホルダーの平面図
【図４】本考案の実施の形態におけるボトルホルダーにボトルを収容した状態を示す正面図
【図５】本考案の実施の形態におけるボトルホルダーにブラシを保持させた状態を示す正面図
【図６】本考案の実施の形態におけるボトルホルダーにブラシを保持させた状態を示す正面図
【図７】本考案の実施の形態におけるボトルホルダーにブラシを保持させた状態を示す正面図
【図８】本考案の実施の形態におけるボトルホルダーにブラシを保持させた状態を示す斜視図
【図９】本考案の実施の形態におけるボトルホルダーにブラシを保持させた状態を示す正面図
【考案を実施するための形態】
【００１４】
以下、本考案の実施の形態のボトルホルダーについて、図面を参照しながら説明する。なお、以下に説明する実施の形態は、本考案を実施する場合の一例を示すものであって、本考案を以下に説明する具体的構成に限定するものではない。本考案の実施にあたっては、実施の形態に応じた具体的構成が適宜採用されてよい。
【００１５】
図１は、本考案の実施の形態のボトルホルダーの斜視図であり、図２は、本考案の実施の形態のボトルホルダーの正面図であり、図３は、本考案の実施の形態のボトルホルダーの平面図である。ボトルホルダー１は、前面１０と、背面２０と、右側面３０と、左側面４０と、底面５０とを備え、概略上面が解放された直方体形状を有している。ボトルホルダー１は２本のボトルを収容可能である。
【００１６】
背面２０には、ボトルホルダー１を壁や鏡等の固定対象（以下単に「壁」という。）に固定するための若干後方に突き出した平板部２１が形成されており、平板部２１には、２つの固定用孔２２ａ、２２ｂが形成されている。ボトルホルダー１は、この平板部２１を固定対象に密着させるとともに、内側から固定用孔２２ａ、２２ｂを通してビス等の固定具を壁に固定することで壁に取り付けられる。また、ボトルホルダー１は、壁に取り付けられたフックを外側から固定用孔２２ａ、２２ｂに通すことで壁に固定することもできる。
【００１７】
底面５０の中央には、底面５０を洗面台等の固定対象に固定するための孔５１が形成されている。このように、ボトルホルダー１は、背面２０で垂直な壁に取り付けることもできるし、底面５０で洗面台等の水平な台に固定することも可能である。また、ボトルホルダー１は、垂直面に固定した場合にも、水平面に固定した場合にも、後述する用具の保持機能を発揮することができる。
【００１８】
前面１０は、横並びの２本のボトルに対応して、平面視で中央部が凹み左右の両側が前方に突出した曲線となる曲面形状を有している。この曲面形状によって、左右にそれぞれ収容されたボトルはその位置が固定される。よって、ボトルが１本しか収容されていない場合にも、そのボトルはボトルホルダー１の右側又は左側に固定されて、使用に際して倒れたり位置が不安定となったりすることがない。
【００１９】
前面１０は、左右約１／４に上端を残して、左右中央に上端から中段にかけて形成された凹部１１を有している。凹部１１の底部には４つの切込み１２ａ〜１２ｄが形成され、これらの切込み１２ａ〜１２ｄの間に掛け部１３ａ〜１３ｃが形成されている。切込み１２ａ〜１２ｄは、凹部１１の底部から一定幅で下方に向けて形成されており、その底部は円弧になっている。中央の掛け部１３ｂは、左右両側の掛け部１３ａ及び１３ｃよりも若干幅広に形成されている。また、前面１０において左右に残された上端には、それぞれ切込み１４ａ及び１４ｂが形成されている。切込み１４ａ及び１４ｂは、上方が狭く下方が狭くなっている。左側の切込み１４ａの右側には掛け部１５ａが形成され、右側の切込み１４ｂの左側には掛け部１５ｂが形成されている。
【００２０】
上記のように構成されたボトルホルダー１の使用例を説明する。図４は、ボトルホルダー１にボトルを収容した状態を示す正面図である。図４に示すように、ボトルホルダー１は２本のボトルＢＴ１、ＢＴ２を収容することができる。ボトルＢＴ１には手洗い用の洗浄液Ｌ１が入っており、ボトルＢＴ２には、アルコール除菌液Ｌ２が入っている。ボトル本体６４、７４の上部にはポンプ６１、７１及びノズル６２、７２からなるボトルヘッド６３、７３が設けられている。ボトルＢＴ１、ＢＴ２は、このボトルヘッド６３、７３をボトル本体６４、７４から取り外すことにより洗浄液Ｌ１、アルコール除菌液Ｌ２を補充することが可能である。
【００２１】
図４の例では、各ボトルＢＴ１、ＢＴ２のボトルヘッド６３、７３はそれぞれ異なっている。ボトルＢＴ１は、ノズル６２が下方に押し込まれることで、ポンプ６１が洗浄液Ｌ１を泡状にしてノズル６２から吐出する。ボトルＢＴ２は、ノズル７２が下方に押し込まれることで、ポンプ７１が洗浄液をそのままノズル７２から吐出する。
【００２２】
ボトル本体６４、７４は透明であり、ボトルに残された液体を確認することができる。ボトルホルダー１の前面１０には切込み１２ａ〜１２ｄが形成されているので、ボトル内の液体がこの切込みの底部を下回った場合（例えば、残量９０〜１００ｍｌ以下）に、使用者は残液量が少なくなっていることを認識してボトルＢＴ１、ＢＴ２に液体を補充することができる。このような容器の残液量を示す部位としての切込み１２ａ〜１２ｄは、左右対称に設けてあり、２本のボトルＢＴ１、ＢＴ２をボトルホルダー１に収納させると、いずれのボトルＢＴ１、ＢＴ２の残液も目視にて容易に確認できる。よって、ユーザーは、液体を補充するタイミングを容易に把握できる。
【００２３】
ボトルホルダー１は、洗浄液Ｌ１とともに使用する爪ブラシを保持する機能を有している。図５〜９は、いずれもボトルホルダー１における爪ブラシＢＲ１を保持する機能を説明する図である。図５〜７は、ボトルホルダー１において爪ブラシＢＲ１を保持する使用態様を示す正面図である。ユーザーは、ボトルＢＴ１の洗浄液Ｌ１で手のひらや手の甲を洗浄するとともに、爪ブラシＢＲ１を用いて爪を洗浄する。この爪ブラシＢＲ１はハンドルを有し、ハンドルには環状の掛け紐ＳＴ１がかけられている。
【００２４】
ユーザーは、爪ブラシＢＲ１を使用した後に、図５に示すように、前面１０の上端に形成された切込み１４ａの上部の狭い部分に爪ブラシＢＲ１の掛け紐ＳＴ１を通すことで、掛け部１５ａに爪ブラシＢＲ１の掛け紐ＳＴ１を掛けることができ、これによって、ボトルホルダー１は爪ブラシＢＲ１を宙に浮かせた状態で保持することができる。同様に、爪ブラシＢＲ１を掛け部１５ｂに掛けることも可能である。
【００２５】
ユーザーはまた、図６に示すように、切込み１２ａ、１２ｂに爪ブラシＢＲ１の掛け紐ＳＴ１を通すことで、掛け部１３ａに爪ブラシＢＲ１の掛け紐ＳＴ１を掛けることができ、これによって、ボトルホルダー１は爪ブラシＢＲ１を宙に浮かせた状態で保持することができる。同様に、爪ブラシＢＲ１を掛け部１３ｂに掛けることも可能である。さらに、ユーザーは、図７に示すように、切込み１２ｂ、１２ｃに爪ブラシＢＲ１の掛け紐ＳＴ１を通すことで、掛け部１３ｂに爪ブラシＢＲ１の掛け紐ＳＴ１を掛けることができ、これによって、ボトルホルダー１は爪ブラシＢＲ１を宙に浮かせた状態で保持することができる。
【００２６】
このように、掛け紐ＳＴ１を備えた爪ブラシＢＲ１は、掛け部１５ａ、１５ｂ、１３ａ〜１３ｃのいずれにも欠けることができ、ユーザーは、ボトルホルダー１が取り付けられるキッチン台の周辺の構造やユーザーの作業の手順に合わせて、爪ブラシＢＲ１を任意の掛け部に掛けることができる。また、爪ブラシＢＲ１は、掛け紐ＳＴ１を備えていれば、その種類や形状に関わらず、ボトルホルダー１に保持されることができる。
【００２７】
図８は、ボトルホルダー１においてフック状のハンドルＨＤ１、ＨＤ２を備えた爪ブラシＢＲ２を保持する使用態様を示す斜視図である。ユーザーは、爪ブラシＢＲ２を使用した後に、図８に示すように、前面１０の上端に形成された切込み１４ａに内側から爪ブラシＢＲ１のハンドルＨＤ２（又はハンドルＨＤ１）を通すことで、掛け部１５ａに爪ブラシＢＲ１のハンドルＨＤ２（又はハンドルＨＤ１）を掛けることができ、これによって、ボトルホルダー１は爪ブラシＢＲ２を宙に浮かせた状態で保持することができる。同様に、爪ブラシＢＲ２を掛け部１５ｂに掛けることも可能である。
【００２８】
図９は、ボトルホルダー１において爪ブラシＢＲ３を保持する使用態様を示す正面図である。この爪ブラシＢＲ３には、基部に孔が形成されており、この孔にばね状の伸縮掛け紐ＳＴ２がかけられている。ユーザーは、爪ブラシＢＲ３を使用する際には、図９に示すように、前面１０の上端に形成された切込み１４ａの上部の狭い部分に伸縮掛け紐ＳＴ２の一端を通すことで、掛け部１５ａに爪ブラシＢＲ３の伸縮掛け紐ＳＴ２を掛けることができ、これによって、ボトルホルダー１は爪ブラシＢＲ３を宙に浮かせた状態で保持することができる。同様に、爪ブラシＢＲ３を掛け部１５ｂに掛けることも可能である。
【００２９】
ユーザーが爪ブラシＢＲ３を使用する際には、図９に示すように爪ブラシＢＲ３の伸縮掛け紐ＳＴ２をボトルホルダー１に保持させたまま、伸縮掛け紐ＳＴ２をボトルホルダー１から外すことなく、また、爪ブラシＢＲ３を伸縮掛け紐ＳＴ２から外すことなく、ばね状の伸縮掛け紐ＳＴ２を伸ばして使用することができる。この例においても、爪ブラシＢＲ３は、伸縮掛け紐ＳＴ２を備えていれば、その種類や形状に関わらず、ボトルホルダー１に保持されることができる。
【００３０】
以上のように、本実施の形態のボトルホルダー１によれば、各種の爪ブラシを宙に浮かせた状態で保持することができ、よって、爪ブラシのブラシ部分を十分に乾燥させることができ、汚れた爪ブラシによって周囲を汚すこともない。また、ボトルホルダー１には複数の切込み及びそれらの間の掛け部が形成されているので、周囲の障害物や作業手順に応じて任意の掛け部に爪ブラシをかけることができる。さらに、前面１０の中段位置に形成されている切込み１２ａ〜１２ｄは、残液量がそれらの底部を下回ったときに、ユーザーが残液量が少なくなったことを確認するための目安となる。
【００３１】
なお、ボトルホルダー１が爪ブラシを保持する例は上記の例に限られない。例えば、切込み１２ａ〜１２ｄ、１４ａ、１４ｂにＳ字あるいはＬ字のフックをかけて、このフックに爪ブラシをかけるようにしてもよい。また、上記の実施の形態では、ボトルＢＴ１に洗浄液を入れ、ボトルＢＴ２にアルコール除菌液を入れる使用例を説明したが、ボトルの内容物はこれに限られない。また、上記の実施の形態では、ボトル内の液体とともに使用する用具として、爪を洗浄するための爪ブラシを例示したが、用具はこれに限られず、例えば爪以外に使用するブラシであってよいし、スポンジ、たわし等であってもよい。
【００３２】
また、上記の実施の形態では、前面１０に掛け部１３ａ〜１３ｃ、１５ａ、１５ｂを設けたが、これに代えて、又はこれに加えて、側面３０、４０にも同様の掛け部を設けてもよい。また、切込み１４ａ、１４ｂに代えて、又はこれらに加えて、切込み１２ａ〜１２ｄのように一定幅で下方に向けて形成された切込みが左右に残された前面１０の上端に形成されていてよく、切込み１２ａ〜１２ｄに代えて、又はこれらに加えて、切込み１４ａ、１４ｂのように上方が狭く下方が広い形状の切込みが凹部１１の底部に形成されていてよい。
【産業上の利用可能性】
【００３３】
本考案は、液体の入ったボトルを収容するとともに、その液体とともに用いる用具を保持でき、ボトルを収容するためのボトルホルダーに適用することができる。
【符号の説明】
【００３４】
１  ボトルホルダー
１０  前面
１１  凹部
１２ａ〜１２ｄ  切込み
１３ａ〜１３ｃ  掛け部
１４ａ、１４ｂ  切込み
１５ａ、１５ｂ  掛け部
２０  背面
２１  平板部
２２ａ、２２ｂ  固定用孔
３０  右側面
４０  左側面
５０  底面
５１  孔
６１、７１  ポンプ
６２、７２  ノズル
６３、７３  ボトルヘッド
６４、７４  ボトル本体
ＢＴ１、ＢＴ２  ボトル
Ｌ１  洗浄液
Ｌ２  アルコール除菌液
ＢＲ１、ＢＲ２、ＢＲ３  爪ブラシ
ＳＴ１  掛け紐
ＳＴ２  伸縮掛け紐
ＨＤ１、ＨＤ２  ハンドル
【図１】
0003191258.tif 000003
【図２】
0003191258.tif 000004
【図３】
0003191258.tif 000005
【図４】
0003191258.tif 000006
【図５】
0003191258.tif 000007
【図６】
0003191258.tif 000008
【図７】
0003191258.tif 000009
【図８】
0003191258.tif 000010
【図９】
0003191258.tif 000011